(57)【要約】【課題】簡単かつ安価な構成により、カップホルダー周辺のシートクッションの変形を防止できるようにする。【解決手段】シートクッション２の素材よりも硬質の素材からなる変形防止体５をシートクッション２の所定のカップホルダー収容位置に埋設し、変形防止体５の凹部５ａ内にカップ形状のホルダー本体６を嵌挿するため、従来のようにホルダー本体６周辺のシートクッション２が外部からの圧力により容易に変形してカップホルダー３のホルダー本体６等が露出することもない。【選択図】図１
2016117407.tif 000002
【特許請求の範囲】
【請求項１】
シートのシートクッションの所定位置に形成されるカップホルダー構造において、
前記シートクッションの素材よりも硬質の素材からなり前記シートクッションの前記所定位置に埋設された凹部を有する変形防止体と、
前記変形防止体の前記凹部内に嵌挿されるカップ形状のホルダー本体と
を備えることを特徴とするカップホルダー構造。
【発明の詳細な説明】
【技術分野】
【０００１】
本発明は、車両用シートのシートクッションの所定位置に形成されるカップホルダー構造に関する。
【背景技術】
【０００２】
従来、自動車のシートは、クッションフレームに載置されるシートクッションと、該シートクッションに傾倒自在に結合されるシートバックとを備えている（例えば、特許文献１）。
【０００３】
そして、車種によっては、運転席と助手席とをフラットなベンチタイプに構成したベンチシートが採用されており、この種のベンチシートでは、図４、図５に示すように、シート５１のシートクッション５２の所定位置に飲料容器を収容するカップホルダー５３を配置することが行われている。
【先行技術文献】
【特許文献】
【０００４】
【特許文献１】特開２００７−６９４２号公報（段落００１３および図１参照）
【発明の概要】
【発明が解決しようとする課題】
【０００５】
ところで、このようにシートクッション５２にカップホルダー５３を設ける場合、シートクッションが発泡ウレタン樹脂などの柔らかいクッション素材からなるため、カップホルダー５３の周辺のシートクッション５２が、外部から加わる圧力により簡単に圧縮変形してカップホルダー５３が露出するおそれがある。そこで、図６に示すように、カップホルダー５３の周辺のシートクッション５２の変形を防止するために、シートクッション５２のフレーム５４に、カップホルダー５３の形状に合致する形状保持部５５を形成し、この形状保持部５５に装飾のためのカップホルダーガーニッシュ５６を被せるように装着してカップホルダー５３を構成することが考えられている。
【０００６】
しかし、図６に示す従来のカップホルダー構造では、シートクッション５２のフレームに特殊な加工を施し、専用のガーニッシュ５６を準備しなければならないため、当該シート５１に専用のフレーム５４が必要になってフレームの汎用性がなくなり、しかも製造コストがアップするという問題がある。
【０００７】
本発明は、簡単かつ安価な構成により、カップホルダー周辺のシートクッションの変形を防止できるようにすることを目的とする。
【課題を解決するための手段】
【０００８】
上記した目的を達成するために、本発明のカップホルダー構造は、車両用シートのシートクッションの所定位置に形成されるカップホルダー構造において、前記シートクッションの素材よりも硬質の素材からなり前記シートクッションの前記所定位置に埋設された凹部を有する変形防止体と、前記変形防止体の前記凹部内に嵌挿されるカップ形状のホルダー本体とを備えることを特徴としている（請求項１）。
【発明の効果】
【０００９】
請求項１に係る発明によれば、シートクッションの素材よりも硬質の素材からなる変形防止体をシートクッションの所定位置に埋設し、変形防止体の凹部内にカップ形状のホルダー本体を嵌挿するため、埋設された変形防止体がシートクッションの素材よりも硬いことから、従来のようにホルダー本体周辺のシートクッションが外部からの圧力により容易に変形してホルダーが露出することがなく、簡単かつ安価な構成により、カップホルダー周辺のシートクッションの変形を防止することができる。
【００１０】
このとき、変形防止体の素材として、発泡スチロールや硬質ウレタンなどを使用するのが望ましく、成形品として形成した変形防止体をシートクッションの成形時にインサートすればよい。また、変形防止体の凹部に嵌挿したホルダー本体の底面等をシートクッションのフレームにねじ止め等により固定しておくとよい。
【図面の簡単な説明】
【００１１】
【図１】本発明に係るカップホルダー構造の一実施形態におけるシートクッションの斜視図である。
【図２】図１の一部の斜視図である。
【図３】図１のＸ−Ｘ線における断面図である。
【図４】従来のカップホルダー構造を備えるシートの斜視図である。
【図５】従来のカップホルダー構造の一部の斜視図である。
【図６】従来のカップホルダー構造の異なる一部の斜視図である。
【発明を実施するための形態】
【００１２】
本発明に係るカップホルダー構造の一実施形態について、図１ないし図３を参照して詳細に説明する。なお、本実施形態でいう前後、左右とはシートに着座した状態で見た前後、左右を意味する。
【００１３】
図１は、運転席と助手席とをフラットな形状を成すベンチシート１を示し、ベンチシート１を構成するシートクッション２の前左端部に設定されたカップホルダー収容位置に、飲料容器を収容するためのカップホルダー４が配置される。
【００１４】
このとき、シートクッション２のカップホルダー収容位置には、例えば発泡ウレタン樹脂から成るシートクッション２よりも硬質の発泡スチロールや硬質ウレタン樹脂等の素材からなる変形防止体５が埋設され、この変形防止体５は中央に凹部５ａを有し、この凹部５ａにカップ形状に樹脂成型されたホルダー本体６が嵌め込まれてカップホルダー４が構成されている。
【００１５】
ところで、変形防止体５は、上記した発泡スチロールや硬質ウレタン樹脂等が成形されて図２、図３に示すように、中実の成形体のほぼ中央に上下方向に貫通した凹部５ａが形成されており、このような形状の変形防止体４を準備しておき、シートクッション２の成形金型内に変形防止体５をインサートした状態でシートクッション２が成形され、シートクッション２に変形防止体５が埋設される。
【００１６】
そして、ホルダー本体６が変形防止体５の凹部５ａ内に嵌挿され、このときホルダー本体６の下面がシートクッション２のフレーム２ａ上に当接するようにカップホルダー収容位置を決めておき、ホルダー本体６をスクリューねじ８によりフレーム２ａに固定することにより、シートクッション２のカップホルダー３付近に外部からの圧力が加わっても、変形防止体５によりシートクッション２の変形が抑制され、しかもホルダー本体６がフレーム２ａ上に載置されることによってシートクッション２の変形抑制効果がさらに高まる。
【００１７】
したがって、上記した実施形態によれば、シートクッション２の素材よりも硬質の素材からなる変形防止体５をシートクッション２の所定のカップホルダー収容位置に埋設し、変形防止体５の凹部５ａ内にカップ形状のホルダー本体６を嵌挿するため、従来のようにホルダー本体６周辺のシートクッション２が外部からの圧力により容易に変形してカップホルダー３のホルダー本体６等が露出することもなく、簡単かつ安価な構成により、カップホルダー３周辺のシートクッション２の変形を防止することができて使い勝手が向上する。
【００１８】
なお、本発明は上記した実施形態に限定されるものではなく、その趣旨を逸脱しない限りにおいて上述したもの以外に種々の変更を行なうことが可能である。
【００１９】
例えば、上記した実施形態では、変形防止体５の素材として、発泡スチロール、硬質ウレタンを例示したが、これらに限定されるものではなく、要するにシートクッション２の素材よりも硬質の素材であればよい。
【００２０】
また、上記した実施形態では、ホルダー本体６の底面等をシートクッショ２ンのフレーム２ａに固定した場合について説明したが、底面でなくいても側面を固定するようにしてもよい。
【符号の説明】
【００２１】
１    …シート
２    …シートクッション
３    …カップホルダー
５    …変形防止体
５ａ  …凹部
６    …ホルダー本体
【図１】
2016117407.tif 000003
【図２】
2016117407.tif 000004
【図３】
2016117407.tif 000005
【図４】
2016117407.tif 000006
【図５】
2016117407.tif 000007
【図６】
2016117407.tif 000008